【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
画像データをサーバ装置から受信する情報処理装置であって、
投影対象画像に対して適用可能な複数の投影方式のうち、１以上の投影方式の識別情報を含むプッシュ指示を生成する生成手段と、
前記生成手段により生成されたプッシュ指示を前記サーバ装置へ送信する送信手段と、
前記送信手段により送信されたプッシュ指示に応じて前記サーバ装置からプッシュ送信された画像データであって、前記プッシュ指示に含まれる識別情報に応じて決定された投影方式によって投影対象画像が投影された画像データを受信する受信手段と
を備えることを特徴とする情報処理装置。
【請求項２】
前記受信手段は、前記サーバ装置から、前記プッシュ指示に含まれる識別情報に応じて決定された投影方式により前記投影対象画像が二次元平面に投影された画像データのセグメントを受信することを特徴とする請求項１に記載の情報処理装置。
【請求項３】
前記生成手段は、前記情報処理装置が再生可能な少なくとも１つの投影方式の識別情報を含むプッシュ指示を生成する
ことを特徴とする請求項１又は２に記載の情報処理装置。
【請求項４】
前記受信手段が受信した画像データに応じた画像を表示手段に表示させる表示制御手段と
をさらに備えることを特徴とする請求項１から３のいずれか１項に記載の情報処理装置。
【請求項５】
前記投影対象画像は、三次元空間の全方位に画像を有する全天周画像であり、
前記投影方式には、前記全天周画像を円筒、多面体、又は、円錐に投影して二次元平面に投影する方式が含まれる
ことを特徴とする請求項１から４のいずれか１項に記載の情報処理装置。
【請求項６】
前記情報処理装置が全天周映像を展開するか否かを判定する判定手段をさらに備え、
前記生成手段は、前記情報処理装置が全天周画像を展開しないと判定した場合は、１以上の投影方式の識別情報を含むプッシュ指示を生成することを特徴とする請求項５に記載の情報処理装置。
【請求項７】
前記生成手段は、ＭＰＤ（Ｍｅｄｉａ  Ｐｒｅｓｅｎｔａｔｉｏｎ  Ｄｅｓｃｒｉｐｔｉｏｎ）に記述された１又は複数の投影方式の識別情報の中から選択された識別情報を含むプッシュ指示を生成することを特徴とする請求項１から６のいずれか１項に記載の情報処理装置。
【請求項８】
前記生成手段は、注目領域を示す情報をさらに含むプッシュ指示を生成し、
前記受信手段は、前記プッシュ指示に応じて前記サーバ装置からプッシュ送信された画像データであって、前記プッシュ指示に含まれる識別情報に応じて決定された投影方式によって投影対処画像の注目領域が投影された画像データを受信する
ことを特徴とする請求項１から７のいずれか１項に記載の情報処理装置。
【請求項９】
画像データをプッシュ送信する情報処理装置であって、
投影対象画像に対して適用可能な複数の投影方式のうち、１以上の投影方式の識別情報を含むプッシュ指示をクライアント装置から受信する受信手段と、
前記プッシュ指示に含まれる１以上の投影方式の識別情報に基づいて、前記クライアント装置へプッシュ送信すべき画像データを生成するために投影対象画像に対して適用すべき投影方式を決定する決定手段と、
前記決定手段により決定された投影方式が前記投影対象画像に適用されることによって生成された画像データを前記クライアント装置に対してプッシュ送信する送信手段と、を備えることを特徴とする情報処理装置。
【請求項１０】
前記投影対象画像は、三次元空間の全方位に画像を有する全天周画像であり、
前記投影方式には、前記全天周画像を円筒、多面体、又は、円錐に投影して二次元平面に投影する方式が含まれる
ことを特徴とする請求項９に記載の情報処理装置。
【請求項１１】
前記クライアント装置からのプッシュ指示に基づいて、前記投影対象画像に対する投影処理を情報処理装置が実行すべきか判定する判定手段を更に備え、
前記送信手段は、
前記投影対象画像に対する投影処理を前記情報処理装置が実行すべきと前記判定手段が判定した場合、前記決定手段により決定された投影方式で前記投影対象画像が投影されることで生成される画像データを前記クライアント装置へプッシュ送信し、
前記投影対象画像に対する投影処理を前記情報処理装置が実行すべきでないと前記判定手段が判定した場合、前記投影対象画像を前記クライアント装置へプッシュ送信することを特徴とする請求項９又は１０に記載の情報処理装置。
【請求項１２】
前記受信手段は、ＭＰＤ（Ｍｅｄｉａ  Ｐｒｅｓｅｎｔａｔｉｏｎ  Ｄｅｓｃｒｉｐｔｉｏｎ）に記述された１又は複数の投影方式の識別情報の中から選択された識別情報を含むプッシュ指示を受信することを特徴とする請求項９から１１のいずれか１項に記載の情報処理装置。
【請求項１３】
前記送信手段は、注目領域を示す情報が前記プッシュ指示に含まれる場合、前記プッシュ指示に含まれる識別情報に応じて決定された投影方式によって投影対処画像の注目領域が投影された画像データを前記クライアント装置へプッシュ送信することを特徴とする請求項９から１２のいずれか１項に記載の情報処理装置。
【請求項１４】
画像データをサーバ装置から受信する情報処理装置の制御方法であって、
１以上の投影方式の識別情報を含むプッシュ指示を生成する生成工程と、
前記生成工程により生成されたプッシュ指示を前記サーバ装置へ送信する送信工程と、
前記送信工程により送信されたプッシュ指示に応じて前記サーバ装置からプッシュ送信された画像データであって、前記プッシュ指示に含まれる識別情報に応じて決定された投影方式によって投影対象画像が投影された画像データを受信する受信工程と
を備えることを特徴とする情報処理装置の制御方法。
【請求項１５】
画像データをプッシュ送信する情報処理装置の制御方法であって、
投影対象画像に対して適用可能な複数の投影方式のうち、１以上の投影方式の識別情報を含むプッシュ指示をクライアント装置から受信する受信工程と、
前記プッシュ指示に含まれる１以上の投影方式の識別情報に基づいて、前記クライアント装置へプッシュ送信すべき画像データを生成するために投影対象画像に対して適用すべき投影方式を決定する決定工程と、
前記決定工程により決定された投影方式が前記投影対象画像に適用されることによって生成された画像データを前記クライアント装置に対してプッシュ送信する送信工程と、
を備えることを特徴とする情報処理装置の制御方法。
【請求項１６】
コンピュータを請求項１から１３のいずれか１項に記載の情報処理装置が備える各手段として機能させるためのコンピュータプログラム。
【手続補正２】
【補正対象書類名】明細書
【補正対象項目名】０００９
【補正方法】変更
【補正の内容】
【０００９】
上記の目的を達成するため、本発明による情報処理装置は以下の構成を備える。即ち、
画像データをサーバ装置から受信する情報処理装置であって、
投影対象画像に対して適用可能な複数の投影方式のうち、１以上の投影方式の識別情報を含むプッシュ指示を生成する生成手段と、
前記生成手段により生成されたプッシュ指示を前記サーバ装置へ送信する送信手段と、
前記送信手段により送信されたプッシュ指示に応じて前記サーバ装置からプッシュ送信された画像データであって、前記プッシュ指示に含まれる識別情報に応じて決定された投影方式によって投影対象画像が投影された画像データを受信する受信手段と
を備えることを特徴とする。